(57)【要約】【課題】発光素子を光源に用い、光源モジュールと、口金と、を分けることができ、取り付け作業性の良いランプを提供する。【解決手段】ＬＥＤ１１が設けられた光源ユニット１０と、器具本体１００のソケット１０５に螺入する口金４０を備えた光源保持ユニット３０と、が別体であり、光源ユニット１０を、光源保持ユニット３０に任意の角度で保持可能なランプであって、光源ユニット１０および光源保持ユニット３０は、互いに連結される連結軸部５５を備え、光源ユニット１０、又は、光源保持ユニット３０のいずれか一方の連結軸部５５に接続部５０を周設し、接続部５０は、他方の連結軸部５５を接続部５０に挿入して一方の連結軸部５５に連結する際に、弾性力により連結軸部５５の径方向に拡がるとともに、弾性力による接続部５０の締め付けにより光源ユニット１０と光源保持ユニット３０とを連結固定する。【選択図】図４
2017054644.tif 000002
【特許請求の範囲】
【請求項１】
発光素子が設けられた光源部と、
器具本体のソケットに螺入する口金を備えた光源保持部と、が別体であり、
前記光源部を、前記光源保持部に任意の角度で保持可能なランプであって、
前記光源部および前記光源保持部は、互いに連結される連結軸部を備え、
前記光源部、又は、前記光源保持部のいずれか一方の前記連結軸部に接続部を周設し、
前記接続部は、他方の前記連結軸部を当該接続部に挿入して前記一方の連結軸部に連結する際に、弾性力により前記連結軸部の径方向に拡がるとともに、弾性力による前記接続部の締め付けにより前記光源部と前記光源保持部とを連結固定する
ことを特徴とするランプ。
【請求項２】
前記光源部、及び、前記光源保持部は、前記一方の連結軸部と、前記他方の連結軸部とが互いに対向する部分の少なくとも一部に、凸部又は凹部を備え、連結状態では、前記光源部の凸部又は凹部と、前記光源保持部の凹部又は凸部とが嵌合することを特徴とする請求項１に記載のランプ。
【請求項３】
前記接続部は、前記連結軸部の周囲に配設される複数の連結部材から構成され、
複数の前記連結部材は弾性体により筒状に接続されたことを特徴とする請求項１又は２に記載のランプ。
【請求項４】
前記接続部は、内周面に突設部を備え、当該突設部は、前記連結軸部の外周面に備えられた溝部に嵌合することを特徴とする請求項１乃至３のいずれかに記載のランプ。
【請求項５】
前記光源部、及び、前記光源保持部は、互いを電気的に接続する電極を有し、
一方の電極は前記連結軸部の中心軸に配置され、
他方の電極は、前記一方の電極の周囲に配置された
ことを特徴とする請求項１乃至４のいずれかに記載のランプ。
【発明の詳細な説明】
【技術分野】
【０００１】
本発明は、例えばＬＥＤや有機ＥＬなどの発光素子を光源に用いたランプに関する。
【背景技術】
【０００２】
近年、半導体発光素子の一種であるＬＥＤの高出力化、及び低コスト化に伴い、ＨＩＤランプの代替として使用可能な口金型のＬＥＤランプが提案されている（例えば、特許文献１参照）。ところで、水平点灯器具等の特定の方向のみを照射する照明器具では、照射器具の照射方向に、ＬＥＤランプの照射方向を合わせて取り付ける必要がある。そこで、特許文献１記載のＬＥＤランプでは、光源モジュールと、口金と、を分けることができる構成とし、口金をランプホルダーに取り付けてから、光源モジュールを口金に連結させている。光源モジュールと、口金とは、外周にねじ山が形成されたベース部を光源モジュール側に設けるとともに、内周にねじ山がきられた取付リングを口金側に設けて、ベース部に取付リングをねじ込むことで連結されている。
【先行技術文献】
【特許文献】
【０００３】
【特許文献１】実用新案登録第３１７７９０８号公報
【発明の概要】
【発明が解決しようとする課題】
【０００４】
しかしながら、ランプホルダー内の限られたスペースで、ランプホルダーに取り付けた口金に、光源モジュールを連結する必要があり、光源モジュールに設けられたベース部を口金に設けられた取付リングにねじ込んで連結する方法では、取り付け作業性が悪かった。
本発明は、上述した事情を鑑みてなされたものであり、発光素子を光源に用い、光源モジュールと、口金と、が分離したランプにおいて、取り付け作業性の向上を図ることを目的とする。
【課題を解決するための手段】
【０００５】
上記目的を達成するために、本発明は、発光素子が設けられた光源部と、器具本体のソケットに螺入する口金を備えた光源保持部と、が別体であり、前記光源部を、前記光源保持部に任意の角度で保持可能なランプであって、前記光源部および前記光源保持部は、互いに連結される連結軸部を備え、前記光源部、又は、前記光源保持部のいずれか一方の前記連結軸部に接続部を周設し、前記接続部は、他方の前記連結軸部を当該接続部に挿入して前記一方の連結軸部に連結する際に、弾性力により前記連結軸部の径方向に拡がるとともに、弾性力による前記接続部の締め付けにより前記光源部と前記光源保持部とを連結固定することを特徴とする。
【０００６】
また、本発明は、上記ランプにおいて、前記光源部、及び、前記光源保持部は、前記一方の連結軸部と、前記他方の連結軸部とが互いに対向する部分の少なくとも一部に、凸部又は凹部を備え、連結状態では、前記光源部の凸部又は凹部と、前記光源保持部の凹部又は凸部とが嵌合することを特徴とする。
【０００７】
また、本発明は、上記ランプにおいて、前記接続部は、前記連結軸部の周囲に配設される複数の連結部材から構成され、複数の前記連結部材は弾性体により筒状に接続されたことを特徴とする。
【０００８】
また、本発明は、上記ランプにおいて、前記接続部は、内周面に突設部を備え、当該突設部は、前記連結軸部の外周面に備えられた溝部に嵌合することを特徴とする。
【０００９】
また、本発明は、上記ランプにおいて、前記光源部、及び、前記光源保持部は、互いを電気的に接続する電極を有し、一方の電極は前記連結軸部の中心軸に配置され、他方の電極は、前記一方の電極の周囲に配置されたことを特徴とする。
【発明の効果】
【００１０】
本発明によれば、器具本体のソケットに螺入する口金を備え、発光素子が設けられた光源部と、前記口金を有する光源保持部と、が別体であり、前記光源部を、前記光源保持部に任意の角度で保持可能なランプであって、前記光源部および前記光源保持部は、互いに連結される連結軸部を備え、前記光源部、又は、前記光源保持部のいずれか一方の前記連結軸部に接続部を周設し、前記接続部は、他方の前記連結軸部を当該接続部に挿入して前記一方の連結軸部に連結する際に、弾性力により前記連結軸部の径方向に拡がるとともに、弾性力による前記接続部の締め付けにより前記光源部と前記光源保持部とを連結固定するため、いずれか一方の連結軸部を接続部に差し込むことで、容易に光源部と光源保持部とを連結固定することができ、発光素子を光源に用い、光源モジュールと、口金と、を分けることができ、取り付け作業性の良いランプを提供することができる。
【図面の簡単な説明】
【００１１】
【図１】本発明の実施形態に係るＬＥＤランプを用いた照明器具を示す斜視図である。
【図２】ＬＥＤランプの構成を示す斜視図であり、（Ａ）はＬＥＤランプを表面から示す斜視図、（Ｂ）はＬＥＤランプを裏面から示す斜視図である。
【図３】ＬＥＤランプの構成を示す図であり、（Ａ）は正面図、（Ｂ）は左側面図、（Ｃ）は底面図である。
【図４】光源部と光源保持部とを接続する接続部の構成を示す図であり、（Ａ）は正面図、（Ｂ）は（Ａ）のＡ部拡大図である。
【図５】接続部の構成を示す図であり、（Ａ）はＬＥＤランプの左側側面図、（Ｂ）は接続部の正面図である。
【図６】光源部と光源保持部とを分離した状態を示す図であり、（Ａ）は上面側から示した斜視図、（Ｂ）は底面側から示した斜視図である。
【図７】器具本体へのＬＥＤランプの取付構造を示す斜視図である。
【発明を実施するための形態】
【００１２】
以下、本発明の実施の形態を、図面を参照しながら説明する。
図１は、本実施形態に係るＬＥＤランプ１を用いた照明器具３の構成を示す図である。なお、以下の説明において、ＬＥＤランプ１の表裏とは、光源からの光の放射方向を表として定義するものでる。また、ＬＥＤランプ１の上下とは、後述する口金４０の軸方向において口金４０側を下として定義するものである。
【００１３】
ＬＥＤランプ１は、図１に示すように、器具本体１００に取り付けられて使用されるランプである。ＬＥＤランプ１は、ＨＩＤランプのような高出力タイプの既存の放電ランプの代わりに用いることができる程度の光出力を有する。また、ＬＥＤランプ１は、放電ランプが従来取り付けられていた既存の器具本体１００を置き換えることなく、器具本体１００に取り付けることができる。また、ＬＥＤランプ１は、口金４０を備えた口金型のランプであり、口金４０を器具本体１００の既設のソケット１０５に装着して使用できる。
照明器具３は、光の放射方向に開口する開口部１０３を有し、開口部１０３には、不図示の本体グローブが着脱可能に取り付けられる。ＬＥＤランプ１は、本体グローブを取り外した開口部１０３から器具本体１００のソケット１０５に口金４０を螺入させて取り付けられる。
【００１４】
ところで、放電ランプは交流電力で点灯するが、ＬＥＤなどの発光素子は直流電力で点灯する。したがって、発光素子の一例たるＬＥＤを光源としたＬＥＤランプ１を交流の商用電源で点灯させる場合には、商用電源を直流電力に変換する電源回路を通じてＬＥＤランプ１に直流電力を供給することとなる。本実施形態のＬＥＤランプ１は電源回路を内蔵せずに、ソケット１０５の側に電源回路を設け、当該ソケット１０５から口金４０を通じて直流電力が入力される構成となっている。換言すれば、このＬＥＤランプ１を既設の放電ランプ用の灯具に装着する場合には、灯具が備える安定器を電源回路に置き換えて使用する。
本実施形態のＬＥＤランプ１は、例えば１００Ｗ〜３００Ｗの水銀ランプを用いた防犯灯などで、水銀ランプの代替として用いることができるランプである。また、ＬＥＤランプ１は、口金４０を含む全長が略１５ｃｍ〜３０ｃｍのランプである。
【００１５】
次いで、ＬＥＤランプ１の構成について詳述する。
ＬＥＤランプ１は、図２及び図３に示すように、光源を備えた光源ユニット１０（光源部）と、光源ユニット１０を保持する光源保持ユニット３０（光源保持部）と、を備える。光源保持ユニット３０は、口金４０を有し、この口金４０の中心軸Ｏに沿って柱状に延びる。口金４０は、例えばＥ２６タイプやＥ３９タイプ等の一般的にＥ型口金と呼ばれるねじ込み式（回しこみ式）のものであり、既設のソケット１０５のサイズに合わせて構成され、ソケット１０５に螺入させて装着可能になっている。口金４０には、ソケット１０５を通じて直流電源が供給され、当該直流電源を光源ユニット１０に供給することで、ＬＥＤが点灯される。なお、口金４０には差し込み式を用いても良い。
【００１６】
光源ユニット１０は、発光素子の一例たるＬＥＤ１１（図２参照）を光源として備える光源モジュール２０と、光源モジュール２０が表面に配置される矩形平板状の基台１６と、を備える。光源ユニット１０は、２つの基台１６と、各基台１６に設けられた光源モジュール２０とから構成される灯具本体１５を備える。２つの基台１６は、互いのなす角度αが４５°〜１３５°となるようにＶ字状に連結されている。なお、２つの基台１６の互いのなす角度αは、器具本体１００の形状や、照明器具３の規定の配光に応じて適宜に設定することができる。本実施形態のＬＥＤランプ１は、２つの基台１６のなす角度αが、略９０°に設定されている。
【００１７】
光源モジュール２０は、口金４０の軸方向に沿って延びる矩形状のモジュールであり、実装基板１２と、実装基板１２の表面に実装された複数のＬＥＤ１１と、を備える。本実施形態のＬＥＤランプ１は、２つの光源モジュール２０を備え、これらの光源モジュール２０が、口金４０の軸方向に延びる姿勢で配列され、Ｖ字状に連結された基台１６のそれぞれに支持されている。ＬＥＤランプ１は、各基台１６に配置された光源モジュール２０からの光により所望の配光が得られるように構成される。なお、器具本体１００の内側に、反射鏡１０２（図１参照）などの光学部材を設けて、器具本体１００に対して所定の位置（角度）に装着されたＬＥＤランプ１からの光の少なくとも一部を反射鏡１０２により反射させて、所望の配光を形成する構成であっても良い。
【００１８】
各基台１６には、光源モジュール２０を覆うグローブ１３（カバー）が配置される。グローブ１３は、透光性のある材料、例えば樹脂材を用いて、平面視矩形状、かつ、断面半楕円形状に形成される。この構成によれば、光源モジュール２０をグローブ１３で覆ったため、ＬＥＤランプ１を取り扱う際に、ＬＥＤ１１に作業者の手等が直接触れるのを防止することができる。
【００１９】
基台１６の裏面には、複数枚の板状の冷却フィン１７が配置される。各冷却フィン１７は、基台１６の外端１６Ａから、基台１６の短手方向に亘って延びる。冷却フィン１７は、基台１６の表面に配置された光源モジュール２０から基台１６に伝熱されたＬＥＤ１１の熱を吸熱して放熱することで、ＬＥＤ１１を冷却する。灯具本体１５は、２つの基台１６及び冷却フィン１７が例えばアルミニウム等の高熱伝導性を有する金属材から一体成形される。灯具本体１５は、鋳造（例えばアルミダイキャスト）により成形されるのが望ましい。
【００２０】
光源保持ユニット３０は、口金４０と、口金受体３１と、を備える。口金受体３１は、ポリカーボネート樹脂等の樹脂材により、中空部を有する円柱状に形成され、下側から口金４０が冠着される。口金受体３１の中空内部には、口金４０と電気的に接続される不図示の回路基板が収容される。
【００２１】
光源ユニット１０と、光源保持ユニット３０とは、別体に構成され、筒状の接続部５０により接続可能に構成される。
図４に示すように、ＬＥＤランプ１は、接続部５０が周設される連結軸部５５を備える。連結軸部５５は、光源ユニット１０に設けられ、灯具本体１５の底面から口金４０の中心軸Ｏに沿って延びる一方の連結軸部５５Ａと、光源保持ユニット３０に設けられ、口金受体３１から口金４０の中心軸Ｏに沿って延びる他方の連結軸部５５Ｂとから成る。一方の連結軸部５５Ａと、他方の連結軸部５５Ｂとは、互いに対向する部分の外周の径が略同一に構成され、一方の連結軸部５５Ａと、他方の連結軸部５５Ｂとを連結した際に、一本の軸状の連結軸部５５になるように構成される。
【００２２】
光源ユニット１０に設けられる一方の連結軸部５５Ａは、灯具本体１５の底面に固定されるフランジ５６と一体に形成される。光源保持ユニット３０に設けられる他方の連結軸部５５Ｂは、口金受体３１から上方に延び、口金受体３１と一体に形成される構成であっても良い。
一方の連結軸部５５Ａ、及び、他方の連結軸部５５Ｂはそれぞれ、外周の壁部に溝部５７Ａ，５７Ｂを備える。溝部５７Ａ，５７Ｂは、少なくとも連結軸部５５Ａ，５５Ｂの外周の壁部の一部に設けられる。本実施形態では、溝部５７Ａ，５７Ｂは、連結軸部５５Ａ，５５Ｂの外周の壁部に、一周に亘って設けられている。
【００２３】
接続部５０の内周には、溝部５７Ａ，５７Ｂに嵌合する突設部５１が形成される。接続部５０は、一方の連結軸部５５Ａと、他方の連結軸部５５Ｂを接続した状態において、突設部５１が溝部５７Ａ，５７Ｂに嵌合し、これにより、一方の連結軸部５５Ａと、他方の連結軸部５５Ｂとの軸方向への移動を規制するように構成されている。
接続部５０は、図５（Ａ）、図５（Ｂ）に示すように、筒状の部材が、軸方向に沿って縦に複数に分割されている。接続部５０の分割された各部位である連結部材５２（５２Ａ，５２Ｂ）は、弾性体５８で連結接続されている。連結軸部５５Ａ，５５Ｂは、互いに弾性体５８で連結接続された複数の連結部材５２Ａ，５２Ｂが、連結軸部５５Ａ，５５Ｂの周囲に配設されることで、連結状態となる。
なお、本実施形態では、接続部５０は、２分割されて、連結部材５２Ａ，５２Ｂを有する構成であるが、これに限らず、接続部５０は、軸方向に沿って縦に３分割、４分割など複数に分割されている構成であっても良い。
【００２４】
接続部５０は、連結部材５２Ａ，５２Ｂ間が、弾性体５８で連結接続されているため、連結軸部５５Ａ，５５Ｂの径方向に拡縮径可能な筒状の構成となっている。弾性体５８は、本実施形態では、コイルスプリングにより構成されている。弾性体５８には、コイルスプリングに限らず、弾性を有し、連結部材５２Ａ，５２Ｂ間を拡縮径可能に接続可能な適宜の弾性体を用いることができる。
【００２５】
接続部５０は、連結軸部５５Ａ，５５Ｂの径方向（連結部材５２Ａ，５２Ｂ間を離す方向）に弾性体５８を伸ばして拡げることで、突設部５１が連結軸部５５Ａ，５５Ｂの溝部５７Ａ，５７Ｂから外れ、連結軸部５５Ａ，５５Ｂが軸方向へ移動可能な状態となる。
ＬＥＤランプ１を、器具本体１００に取り付ける際には、光源ユニット１０と、光源保持ユニット３０とを分けた状態で、まず口金４０を器具本体１００のソケット１０５に装着させて、光源保持ユニット３０を器具本体１００に取り付ける。接続部５０は、光源保持ユニット３０、或いは、光源ユニット１０の何れかに予め装着させておくことができる。図７は、接続部５０を、光源保持ユニット３０に予め装着した状態で、光源保持ユニット３０を器具本体１００に取り付けた例を示す図である。なお、光源保持ユニット３０を器具本体１００に装着した後に、接続部５０を光源保持ユニット３０に取り付けることももちろん可能である。
【００２６】
図７に示したように、器具本体１００に装着された光源保持ユニット３０から延びる連結軸部５５Ｂに接続部５０が取り付けられた状態で、光源ユニット１０から延びる連結軸部５５Ａを接続部５０に差し込むと、接続部５０が連結軸部５５Ｂの径方向に拡がる。接続部５０には、弾性体５８の弾性力により、締まる方向に力がかかる。そして、連結軸部５５Ａが、連結軸部５５Ｂと連結される位置まで接続部５０に挿入されると、連結軸部５５Ａの溝部５７Ａに接続部５０の突設部５１が嵌合し、光源ユニット１０の軸方向への移動が規制される。また、接続部５０には、弾性体５８の弾性力により連結部材５２Ａ，５２Ｂ間が締まり、連結軸部５５Ａ，５５Ｂの径方向に縮径する力がかかる。このように、接続部５０が弾性体５８の弾性力により締まることで、連結軸部５５Ａ，５５Ｂが固定される。これらの構成によれば、連結軸部５５Ａ，５５Ｂのいずれか一方に取り付けられた接続部５０に、もう一方を差し込むことで、光源ユニット１０と、光源保持ユニット３０とをワンタッチで容易に接続することができる。
【００２７】
このように、ＬＥＤランプ１は、口金４０を器具本体１００のソケット１０５に装着させてから、光源ユニット１０を、光源保持ユニット３０に簡単に連結させることができる。光源ユニット１０を、光源保持ユニット３０に連結させる際には、光源ユニット１０と、光源保持ユニット３０とを任意の角度で連結させることができ、光源ユニット１０の照射方向を器具本体１００の照射方向に合わせて容易に取り付けることができる。また、光源ユニット１０を器具本体１００のランプスペース１０１内で回転させて、照射方向を調整する必要が無いため、光源ユニット１０の寸法を、光源ユニット１０を回転させるための制限を気にすることなく、ランプスペース１０１内に収まる範囲内とすることができ、光源ユニット１０の設計の自由度が向上する。
【００２８】
ところで、連結軸部５５Ａ，５５Ｂを軸方向への動きだけを規制して連結した場合には、光源ユニット１０が器具本体１００内で回転してしまう可能性がある。そこで、本実施形態では、以下に述べるように連結軸部５５Ａ，５５Ｂの相対的な回転を規制している。
図６に示すように、連結軸部５５Ａ，５５Ｂの互いに対向する部分には、連結軸部５５Ａ，５５Ｂの周縁に沿ってリング状に設けられた当接面５９Ａ，５９Ｂが形成される。当接面５９Ａ，５９Ｂには、周方向に並べて複数の突起６１Ａ，６１Ｂが設けられる。このように、突起６１Ａ，６１Ｂを周方向に複数並べて設けることで、当接面５９Ａ，５９Ｂには、複数の凸部６２と、凹部６３と、が形成される。
【００２９】
連結軸部５５Ａ，５５Ｂの連結状態では、当接面５９Ａ，５９Ｂが互いに押し付けられることで、凸部６２と、凹部６３と、が互いに噛み合う。連結軸部５５Ａ，５５Ｂは、この凸部６２と、凹部６３と、の噛み合いにより、相対的な回転が規制される。つまり、突起６１Ａによって設けられる一方の連結軸部５５Ａ側の当接面５９Ａの凸部６２または凹部６３と、突起６１Ｂによって設けられる他方の連結軸部５５Ｂ側の当接面５９Ｂの凹部６３または凸部６２とが嵌合することで、光源ユニット１０と、光源保持ユニット３０との相対的な回転が規制される。このように、光源ユニット１０と、光源保持ユニット３０とは連結状態では、相対的な回転が規制されるため、光源ユニット１０と、光源保持ユニット３０とを、任意の角度で連結して保持することができる。
【００３０】
一方の連結軸部５５Ａと、他方の連結軸部５５Ｂとは、軸方向に手作業で引き離すことで、接続部５０が径方向に拡がり、軸方向への移動が可能になるとともに、凸部６２と凹部６３との噛み合が解除され相対的に回転可能となる。
なお、本実施形態では、連結軸部５５Ａ，５５Ｂの互いに対向する部分の当接面５９Ａ，５９Ｂに凹凸を設ける構成としているが、これに限らず、連結軸部５５Ａ，５５Ｂの互いに対向する部分自体が凹凸形状に形成されている構成であっても良い。
【００３１】
また、連結軸部５５Ａ，５５Ｂの互いに対向する部分には、光源ユニット１０と、光源保持ユニット３０とを電気的に接続する一対の電極が設けられる。詳述すると、一方の連結軸部５５Ａには、他方の連結軸部５５Ｂに対向する部分であって、ＬＥＤランプ１の中心軸Ｏ上に、一方の電極５Ａが配置されている。また、中心軸Ｏ上に配置された一方の電極５Ａの周囲には、他方の電極５Ｂが配置されている。一方の電極５Ａとして陽極電極をＬＥＤランプ１の中心軸Ｏに配置した場合には、負極電極が他方の電極５Ｂとして、一方の電極５Ａの周囲に配置される。一方の電極５Ａは、連結軸部５５Ａの底面から、中心軸Ｏに沿って凸状に突設される。また、他方の電極５Ｂは、連結軸部５５Ａの底面から、一方の電極５Ａの周囲を囲うリング状に突設される。一方の電極５Ａと、他方の電極５Ｂとの間には、凹み状の絶縁部５Ｃが形成される。図示は省略するが、光源ユニット１０に設けられたＬＥＤ基板から延びるリード線は、連結軸部５５Ａの内部で、電極５Ａ，５Ｂに接続される。
【００３２】
また、他方の連結軸部５５Ｂには、一方の連結軸部５５Ａに対向する部分であって、ＬＥＤランプ１の中心軸Ｏ上に一方の電極６Ａが配置されている。また、一方の電極６Ａの周囲には、他方の電極６Ｂが配置されている。連結軸部５５Ｂの一方の電極６Ａは、連結軸部５５Ａの一方の電極５Ａに接続される。また、連結軸部５５Ｂの他方の電極６Ｂは、連結軸部５５Ａの他方の電極５Ｂに接続される。電極６Ａと電極５Ａとが接続され、電極６Ｂと電極５Ｂとが接続されることで、口金４０を通じて供給される直流電力が、光源ユニット１０に供給され、光源モジュール２０に配置されたＬＥＤ１１が点灯する。一方の電極６Ａは、連結軸部５５Ｂの上面を、中心軸Ｏに沿って凹ませて形成される。また、他方の電極６Ｂは、連結軸部５５Ｂの上面を、一方の電極５Ａの周囲を囲うリング状に凹ませて形成される。一方の電極６Ａと、他方の電極６Ｂとの間には、突状の絶縁部６Ｃが形成される。図示は省略するが、口金４０から延びるリード線は、連結軸部５５Ｂの内部で、電極６Ａ，６Ｂに接続される。
【００３３】
一方の連結軸部５５Ａに設けた電極５Ａ，５Ｂと、他方の連結軸部５５Ｂに設けた電極６Ａ，６Ｂとは、連結軸部５５Ａ，５５Ｂの連結状態では、互いに嵌合する形状に構成される。これにより、光源ユニット１０と、光源保持ユニット３０との導通が図られるように構成されている。この構成によれば、上述したように、接続部５０に光源ユニット１０の連結軸部５５Ａと、光源保持ユニット３０の連結軸部５５Ｂと、を差し込んで、ワンタッチで光源ユニット１０と、光源保持ユニット３０とを連結した際に、電極５Ａを電極６Ａに、電極５Ｂを電極６Ｂに容易に接続することができる。また、光源ユニット１０と、光源保持ユニット３０との間にリード線が介在しないため、光源ユニット１０と、光源保持ユニット３０とを相対的に回転させる際に、リード線がねじれることが無い。
【００３４】
以上説明したように、本実施形態のＬＥＤランプ１によれば、次の効果を奏する。
すなわち、ＬＥＤランプ１は、ＬＥＤ１１が設けられた光源ユニット１０と、器具本体１００のソケット１０５に螺入する口金４０を備えた光源保持ユニット３０と、が別体であり、光源ユニット１０を、光源保持ユニット３０に任意の角度で保持可能なランプであって、光源ユニット１０および光源保持ユニット３０は、互いに連結される連結軸部５５を備え、光源ユニット１０、又は、光源保持ユニット３０のいずれか一方の連結軸部５５（５５Ａ又は５５Ｂ）に接続部５０を周設し、接続部５０は、他方の連結軸部５５（５５Ａ又は５５Ｂ）を接続部５０に挿入して一方の連結軸部５５（５５Ａ又は５５Ｂ）に連結する際に、弾性力により連結軸部５５の径方向に拡がるとともに、弾性力による接続部５０の締め付けにより光源ユニット１０と光源保持ユニット３０とを連結固定する。
この構成によれば、器具本体１００のソケット１０５に口金４０を装着させてから、一方の連結軸部５５Ａ又は他方の連結軸部５５Ｂのいずれか一方に取り付けた接続部５０に、もう一方の連結軸部５５Ａ又は連結軸部５５Ｂを差し込むことで、容易に光源ユニット１０と光源保持ユニット３０とを連結固定することができる。よって、発光素子の一例たるＬＥＤ１１を光源に用い、光源モジュール２０と、口金４０と、を分けることができ、取り付け作業性の良いランプを提供することができる。
【００３５】
また、本実施形態によれば、光源ユニット１０、及び、光源保持ユニット３０は、一方の連結軸部５５と、他方の連結軸部５５Ｂとが互いに対向する部分の少なくとも一部に、凸部６２又は凹部６３を備え、連結状態では、光源ユニット１０の凸部６２又は凹部６３と、光源保持ユニット３０の凹部６３又は凸部６２とが嵌合する。この構成によれば、連結状態において、光源ユニット１０と光源保持ユニット３０とが相対的に回転するのを防ぐことができる。よって、ＬＥＤランプ１が器具本体１００に取り付けられた使用時に、光源ユニット１０が回転して、ＬＥＤランプ１の照射方向が器具本体１００の照射方向からずれるのを防ぐことができる。
【００３６】
また、本実施形態によれば、接続部５０は、連結軸部５５の周囲に配設される複数の連結部材５２Ａ，５２Ｂから構成され、複数の連結部材５２Ａ，５２Ｂは弾性体５８により筒状に接続された。この構成によれば、連結部材５２Ａ，５２Ｂ間の距離を引き離す方向に力をかけることで、弾性体５８を伸ばして、接続部５０を連結軸部５５の径方向に容易に拡げることができる。また、弾性体５８の弾性力により、連結部材５２Ａ，５２Ｂには互いに近づく方向に力が働き、これにより、接続部５０は連結軸部５５を径方向に締める方向に抑えるため、弾性体５８の弾性力により、光源ユニット１０と、光源保持ユニット３０とを固定することができる。
【００３７】
また、本実施形態によれば、接続部５０は、内周面に突設部５１を備え、当該突設部５１は、連結軸部５５の外周面に備えられた溝部５７Ａ，５７Ｂに嵌合する。この構成によれば、連結軸部５５Ａ，５５Ｂは連結状態において、軸方向への移動が規制されるため、接続部５０の締め付けによって、より安定して光源ユニット１０と光源保持ユニット３０とを固定することができる。
【００３８】
また、本実施形態によれば、光源ユニット１０、及び、光源保持ユニット３０は、互いを電気的に接続する電極５Ａ，５Ｂ，６Ａ，６Ｂを有し、一方の電極５Ａ，６Ａは連結軸部の中心軸Ｏに配置され、他方の電極５Ｂ，６Ｂは、一方の電極５Ａ，６Ａの周囲に配置され、光源ユニット１０と光源保持ユニット３０と連結した際に、光源ユニット１０と光源保持ユニット３０とが電気的に接続される。この構成によれば、接続部５０の拡縮径により、光源ユニット１０と光源保持ユニット３０とをワンタッチで連結した際に、光源ユニット１０と光源保持ユニット３０との電気的接続もワンタッチで確立される。よって、容易に光源ユニット１０と光源保持ユニット３０とを連結固定するとともに、電気的に接続することができ、発光素子を光源に用い、光源モジュール２０と、口金４０と、を分けることができ、取り付け作業性の良いランプを提供することができる。
【００３９】
なお、上述した実施形態は、あくまでも本発明の一態様を例示したものであって、本発明の趣旨を逸脱しない範囲で任意に変形、及び応用が可能である。
例えば上述した実施形態では、発光素子の一例としてＬＥＤを例示したが、これに限らず、有機ＥＬ等の他の発光素子でも良い。
【符号の説明】
【００４０】
１  ＬＥＤランプ
３  照明器具
５Ａ、５Ｂ、６Ａ、６Ｂ  電極
１０  光源ユニット（光源部）
１１  ＬＥＤ
２０  光源モジュール
３０  光源保持ユニット（光源保持部）
４０  口金
５０  接続部
５１  突設部
５２（５２Ａ、５２Ｂ）  連結部材
５５（５５Ａ、５５Ｂ）  連結軸部
５７Ａ、５７Ｂ  溝部
５８  弾性体
６２  凸部
６３  凹部
１００  器具本体
１０５  ソケット
Ｏ  中心軸
【図１】
2017054644.tif 000003
【図２】
2017054644.tif 000004
【図３】
2017054644.tif 000005
【図４】
2017054644.tif 000006
【図５】
2017054644.tif 000007
【図６】
2017054644.tif 000008
【図７】
2017054644.tif 000009